(57)【要約】【課題】被介護者の様々な状況に応じて利用することができる介護用衣服を提供することである。【解決手段】介護用衣服１０は、被介護者２の胴体の前部分を覆う前身頃部１２と、前身頃部１２に連結され、被介護者２の両腕を覆う一対の袖部１４と、前身頃部１２及び一対の袖部１４に連結され、胴体の後部分の少なくとも一部を覆う後身頃部１６と、前身頃部１２の下部から延伸し、被介護者２の左右の太腿の少なくとも一部を覆う太腿部１８と、を備え、太腿部１８は、左右の太腿の前部分を覆う一対の前腿部２０と、一対の前腿部２０の間のスリット部２７に設けられ、左右の太腿の開閉に応じて伸縮可能な伸縮部材２６と、左右の太腿の後部分に夫々跨って一対の前腿部２０に装着可能な一対の帯部２２と、を含む。【選択図】図１
2017226937.tif 000002
【特許請求の範囲】
【請求項１】
被介護者の胴体の前部分を覆う前身頃部と、
前記前身頃部に連結され、前記被介護者の両腕を覆う一対の袖部と、
前記前身頃部及び前記一対の袖部に連結され、前記胴体の後部分の少なくとも一部を覆う後身頃部と、
前記前身頃部の下部から延伸し、前記被介護者の左右の太腿の少なくとも一部を覆う太腿部と、
を備え、
前記太腿部は、
前記左右の太腿の前部分を覆う一対の前腿部と、
前記一対の前腿部の間のスリット部に設けられ、前記左右の太腿の開閉に応じて伸縮可能な伸縮部と、
前記左右の太腿の後部分に夫々跨って前記一対の前腿部に装着可能な一対の帯部と、
を含むことを特徴とする介護用衣服。
【請求項２】
請求項１に記載の介護用衣服において、
前記伸縮部は、
前記スリット部の上部から下部にわたって設けられ、略三角形状を有する三角部と、
前記三角部の下部に連結され、前記スリット部の下部の両側に跨って設けられる伸縮部材と、
を含むことを特徴とする介護用衣服。
【請求項３】
請求項１または請求項２に記載の介護用衣服において、
前記前身頃部の上部に連結される襟部をさらに備え、
前記前身頃部の中央部には、上部から下部にわたって装飾が施されていることを特徴とする介護用衣服。
【発明の詳細な説明】
【技術分野】
【０００１】
本発明は、介護用衣服に関する。
【背景技術】
【０００２】
近年、高齢化社会に伴い、被介護者の数が増加している。被介護者は、介護用衣服を着用して介護されることが多い。介護用衣服は、デザイン性を重視したものが少なく、被介護者も介護用衣服を着た状態のままで生活することが億劫になることがある。また、介護用衣服を着替える際に、被介護者の身体への負担を軽減するために、着替えが容易に行えるような介護用衣服が求められている。
【０００３】
本発明に関連する技術として、例えば、特許文献１には、要介護者の胴体部分を覆う一対の身頃部と、この身頃部の左右それぞれの両端に形成され要介護者の左腕、右腕を覆う一対の袖部と、身頃部と袖部とを前部と後部とに分離可能とするための開閉具とを備え、身頃部の上下方向でその左半身前面側に左側開放口が、右半身前面側に右側開放口がそれぞれ設けられ、袖部の最下部と最上部との間で前半身側に腕開放口が設けられ、左側開放口と腕開放口、右側開放口と腕開放口を夫々繋げ、各開放口に開閉具を装着したことを特徴とする介護用衣服が開示されている。
【先行技術文献】
【特許文献】
【０００４】
【特許文献１】特開２００８−７５２２５号公報
【発明の概要】
【発明が解決しようとする課題】
【０００５】
上記特許文献１の構成によれば、被介護者の上半身を覆う介護用衣服として利用することができる。しかしながら、特許文献１の介護用衣服は、上半身のみを覆うものであるため、例えば、介護用衣服を着たまま椅子に座って食事をして食べこぼし等をした場合に介護用衣服以外の被服などが汚れてしまう虞がある。
【０００６】
本発明の目的は、被介護者の様々な状況に応じて利用することができる介護用衣服を提供することである。
【課題を解決するための手段】
【０００７】
本発明に係る介護用衣服は、被介護者の胴体の前部分を覆う前身頃部と、前記前身頃部に連結され、前記被介護者の両腕を覆う一対の袖部と、前記前身頃部及び前記一対の袖部に連結され、前記胴体の後部分の少なくとも一部を覆う後身頃部と、前記前身頃部の下部から延伸し、前記被介護者の左右の太腿の少なくとも一部を覆う太腿部と、を備え、前記太腿部は、前記左右の太腿の前部分を覆う一対の前腿部と、前記一対の前腿部の間のスリット部に設けられ、前記左右の太腿の開閉に応じて伸縮可能な伸縮部と、前記左右の太腿の後部分に夫々跨って前記一対の前腿部に装着可能な一対の帯部と、を含むことを特徴とする。
【０００８】
また、本発明に係る介護用衣服において、前記伸縮部は、前記スリット部の上部から下部にわたって設けられ、略三角形状を有する三角部と、前記三角部の下部に連結され、前記スリット部の下部の両側に跨って設けられる伸縮部材と、を含むことが好ましい。
【０００９】
また、本発明に係る介護用衣服において、前記前身頃部の上部に連結される襟部をさらに備え、前記前身頃部の中央部には、上部から下部にわたって装飾が施されていることが好ましい。
【発明の効果】
【００１０】
本発明によれば、左右の太腿の前部分を覆う一対の前腿部と、一対の前腿部の間のスリット部に設けられて左右の太腿の開閉に応じて伸縮可能な伸縮部と、左右の太腿の後部分に夫々跨って一対の前腿部に装着可能な一対の帯部とを備えている。これにより、被介護者が、例えば、介護用衣服を着たまま椅子に座って食事をして食べこぼし等をした場合であっても、太腿部で受け止めることができる。したがって、被介護者の様々な状況に応じて介護用衣服を利用することができる。
【図面の簡単な説明】
【００１１】
【図１】本発明に係る実施形態において、被介護者が介護用衣服を着て起立した状態の正面図である。
【図２】本発明に係る実施形態において、被介護者が介護用衣服を着て起立した状態の背面図である。
【図３】本発明に係る実施形態において、被介護者が介護用衣服を着た状態で椅子に座っている様子を示す図である。
【発明を実施するための形態】
【００１２】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１３】
図１は、被介護者２が介護用衣服１０を着て起立した状態の正面図である。図２は、被介護者２が介護用衣服１０を着て起立した状態の背面図である。図３は、被介護者２が介護用衣服１０を着た状態で椅子に座っている様子を示す図である。
【００１４】
介護用衣服１０は、前身頃部１２と、一対の袖部１４と、後身頃部１６と、太腿部１８とを備える。介護用衣服１０は、被介護者２が着用した状態で食事など様々な状況に応じて活用することができる衣服である。
【００１５】
前身頃部１２は、被介護者２の胴体の前部分を覆う部位である。前身頃部１２は、肌触りや撥水性に優れた材質で構成されることが好ましく、例えば、ポリエステル生地などで構成することができる。前身頃部１２は、一般的な成人女性の胴体を覆うのに適した大きさの略矩形形状を有しており、中央部には、上部から下部にわたって装飾が施されている。例えば、図１に示されるように、可愛らしさを際立させるようなレース加工が施されることが好ましい。
【００１６】
一対の袖部１４は、前身頃部１２の両端部及び後身頃部１６の両端部に連結され、被介護者２の両腕を覆う部位である。一対の袖部１４は、前身頃部１２と同様の材質で構成することが好ましい。一対の袖部１４は、一般的な成人女性の腕の太さよりも若干余裕を持たせた孔面積を有する筒形状を有している。
【００１７】
一対の袖部１４は、袖丈を適度な値に設定することができる。図１に示されるように一般的な袖丈にしてもよく、また、被介護者２の動作に邪魔にならないようにするために所謂七分丈に設定してもよい。一対の袖部１４の先端部には、伸縮加工を施すことで、被介護者２の腕への装着感を高めることも好適である。
【００１８】
後身頃部１６は、前身頃部１２及び一対の袖部１４に連結され、被介護者２の胴体の後部分の少なくとも一部を覆う部位である。後身頃部１６は、前身頃部１２と同様の材質で構成することが好ましい。後身頃部１６は、図２に示されるように、被介護者２の胴体の後部分の中央部において所定の幅を有する切欠きが形成されるような長さに設定されており、前身頃部１２及び一対の袖部１４に連結されている。この切欠きを開くことで被介護者２が腕を一対の袖部１４に通して装着することができる。
【００１９】
襟部２１は、前身頃部１２の上部に連結されて被介護者２の首の回りを覆う襟として機能する部位である。襟部２１は、前身頃部１２と同様の材質で構成することが好ましい。なお、襟部２１では、図１では、最下部が尖ったカッター形状のものであるものとして説明するが、もちろん、その他の形状にしてもよく、例えば、丸みを有する形状にしてもよい。また、襟部２１の最後部には、後身頃部１６の切欠きを跨るように設けられ、マジックテープ（登録商標）により着脱可能な帯部材２３が取り付けられている。
【００２０】
太腿部１８は、前身頃部１２の下部から延伸し、被介護者２の左右の太腿の少なくとも一部を覆う部位である。太腿部１８は、一対の前腿部２０と、伸縮部２５と、一対の帯部２２とを備えている。太腿部１８は、前身頃部１２と同様の材質で構成することが好ましい。
【００２１】
一対の前腿部２０は、被介護者２の左右の太腿の前部分を覆う部位である。一対の前腿部２０の間には、スリット部２７が形成されている。スリット部２７は、一対の前腿部２０の中央部に形成された切欠きであり、被介護者２の股間に対応して形成されている。
【００２２】
伸縮部２５は、一対の前腿部２０の間のスリット部２７に設けられ、被介護者２の左右の太腿の開閉に応じて伸縮可能な部位である。伸縮部２５は、三角部２４と伸縮部材２６とを備える。
【００２３】
三角部２４は、スリット部２７の上部から下部にわたって設けられ、略三角形状を有する部位である。三角部２４は、スリット部２７が全閉状態のときに略Ｕ字又は略Ｗ字形状などを構成するように折りたたまれた状態となり、スリット部２７が全開状態のときに広がって略三角形状を構成する。
【００２４】
また、三角部２４は、図３に示されるように、被介護者２が椅子に座った状態で、スリット部２７が全閉と全開の途中状態のときに、ある程度弛みを持たせた状態となり、被介護者２の食べこぼしを受け取るための受け皿として機能する。
【００２５】
伸縮部材２６は、三角部２４の下部に連結され、スリット部２７の下部の両側に跨って設けられる部位である。伸縮部材２６は、ゴム部材等を内部に有し、伸縮加工が施されて形成されている。
【００２６】
一対の帯部２２は、被介護者２の左右の太腿の後部分に夫々跨って、一対の前腿部２０に装着可能な部位である。一対の帯部２２は、ゴム部材等を内部に有し、伸縮加工が施されて形成された帯部材である。一対の帯部２２のうちスリット部２７側（内腿側）に配置される一方端は、夫々前腿部２０に固定されており、外腿側に位置する他方端はマジックテープ（商標登録）等によって一対の前腿部２０に接続可能に構成されている。
【００２７】
続いて、上記構成の介護用衣服１０の作用について説明する。介護者が被介護者２の介護を行うに際し、介護用衣服１０の着替えをサポートすることがある。この際、介護者が介護用衣服１０を準備し、被介護者２の背後に立って、後身頃部１６の切欠き及び帯部材２３を開き、被介護者２の腕を一対の袖部１４に通して、被介護者２の体に装着させる。そして、襟部２１の最後部に設けられた帯部材２３のマジックテープ（登録商標）を止めて襟部２１の位置決めを行う。
【００２８】
そして、一対の帯部２２を被介護者２の左右の太腿の後部分に夫々跨るように配置し、各他方端に設けられたマジックテープ（登録商標）を一対の前腿部２０に接続する。これにより、一対の前腿部２０の位置決めがなされる。
【００２９】
上記のように、介護用衣服１０において、被介護者２の胴体の後部分を覆う後身頃部１６には切欠きが形成されている。これにより、被介護者２が万歳した状態など無理な姿勢で衣服を被る必要なく、身体に負担を与えずに介護用衣服１０を着ることができる利点がある。
【００３０】
また、介護用衣服１０は、中央部に可愛らしさを際立させるようなレース加工が施された前身頃部１２を備え、さらにデザイン性を高めるような襟部２１が備えられている。したがって、女性用のブラウスを着ているような感覚で介護用衣服１０をお洒落の一環として楽しむことができるというメリットがある。
【００３１】
さらに、図３に示されるように、被介護者２が介護用衣服１０を着用した状態で椅子に座った際に両腿の間の領域に三角部２４によって凹み部が形成される。したがって、被介護者２の食事の際に食べこぼしてしまった場合であっても、この凹み部に蓄積されるため、食べこぼしの処理が容易になるという効果がある。
【符号の説明】
【００３２】
２  被介護者、１０  介護用衣服、１２  前身頃部、１４  一対の袖部、１６  後身頃部、１８  太腿部、２０  一対の前腿部、２１  襟部、２２  帯部、２３  帯部材、２４  三角部、２５  伸縮部、２６  伸縮部材、２７  スリット部。
【図１】
2017226937.tif 000003
【図２】
2017226937.tif 000004
【図３】
2017226937.tif 000005
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
被介護者の胴体の前部分を覆う前身頃部と、
前記前身頃部に連結され、前記被介護者の両腕を覆う一対の袖部と、
前記前身頃部及び前記一対の袖部に連結され、前記胴体の後部分の少なくとも一部を覆う後身頃部と、
前記前身頃部の下部から延伸し、前記被介護者の左右の太腿の少なくとも一部を覆う太腿部と、
を備え、
前記太腿部は、
前記左右の太腿の前部分を覆う一対の前腿部と、
前記一対の前腿部の間のスリット部に設けられ、前記左右の太腿の開閉に応じて伸縮可能な伸縮部と、
前記左右の太腿の後部分に夫々跨って前記一対の前腿部に装着可能な一対の帯部と、
を含み、
前記伸縮部は、
前記スリット部の上部から下部にわたって設けられ、略三角形状を有する三角部と、
前記三角部の下部に連結され、前記スリット部の下部の両側に跨って設けられる伸縮部材と、
を含むことを特徴とする介護用衣服。
【請求項２】
請求項１に記載の介護用衣服において、
前記前身頃部の上部に連結される襟部をさらに備え、
前記前身頃部の中央部には、上部から下部にわたって装飾が施されていることを特徴とする介護用衣服。
【手続補正２】
【補正対象書類名】明細書
【補正対象項目名】０００７
【補正方法】変更
【補正の内容】
【０００７】
本発明に係る介護用衣服は、被介護者の胴体の前部分を覆う前身頃部と、前記前身頃部に連結され、前記被介護者の両腕を覆う一対の袖部と、前記前身頃部及び前記一対の袖部に連結され、前記胴体の後部分の少なくとも一部を覆う後身頃部と、前記前身頃部の下部から延伸し、前記被介護者の左右の太腿の少なくとも一部を覆う太腿部と、を備え、前記太腿部は、前記左右の太腿の前部分を覆う一対の前腿部と、前記一対の前腿部の間のスリット部に設けられ、前記左右の太腿の開閉に応じて伸縮可能な伸縮部と、前記左右の太腿の後部分に夫々跨って前記一対の前腿部に装着可能な一対の帯部と、を含み、前記伸縮部は、前記スリット部の上部から下部にわたって設けられ、略三角形状を有する三角部と、前記三角部の下部に連結され、前記スリット部の下部の両側に跨って設けられる伸縮部材と、を含むことを特徴とする。
【手続補正３】
【補正対象書類名】明細書
【補正対象項目名】０００８
【補正方法】削除
【補正の内容】